【手続補正書】
【提出日】平成16年3月4日(2004.3.4)
【手続補正１】
【補正対象書類名】明細書
【補正対象項目名】特許請求の範囲
【補正方法】変更
【補正の内容】
【特許請求の範囲】
【請求項１】
シート材料品の積重ねを支持するホッパー手段と、前記シート材料品の積重ね中のシート材料品の縁部を隣接するシート材料品から逐次分離するセパレータ手段と、シート材料品の積重ね中のシート材料品を前記ホッパー手段から逐次送り出す送り出し手段とを有し、前記セパレータ手段は、１個のシート材料品の側面の少なくとも一部が隣接する次のシート材料品の側面の少なくとも一部と係合するように位置する間、シート材料品の積重ね中の前記の１個のシート材料品の側面とシート材料品の積重ね中の前記の隣接する次のシート材料品の側面との間を移動できる回転可能なセパレータディスクと、前記セパレータディスクに接続されてそれをシート材料品の積重ねに対して複数回回転させ、シート材料品の積重ねに対する前記セパレータディスクの各回転中に前記セパレータディスクの回転速度を高速と低速の間で変化させる可変速駆動手段を有する、シート材料品の処理に使用される装置。
【請求項２】
前記可変速駆動手段は、シート材料品の積重ねに対するセパレータディスクの複数の回転の各回転中に前記セパレータディスクの回転速度を高速から低速へ減少させ、かつ低速から高速へ増加させるように作動する請求項１記載の装置。
【請求項３】
前記送り出し手段は、前記セパレータディスクの各回転中に前記セパレータディスクの回転速度が高速から低速へ減少されている少なくとも一部分の期間中および前記セパレータディスクの回転速度が低速から高速へ増加されている少なくとも一部分の期間中にシート材料品を逐次送り出すように作動する請求項２記載の装置。
【請求項４】
前記ホッパー手段は、シート材料品の積重ねの第１面に隣接する位置でシート材料品の積重ね中の前記の１個のシート材料品と係合する側面を有する第１の絞りと、シート材料品の積重ねの第２の側面に隣接する位置でシート材料品の積重ね中の前記の１個のシート材料品と係合する上側面を有する第２の絞りとを含み、前記セパレータディスクはシート材料品の積重ね中の前記の１個のシート材料品の側面へ力を加えて該１個のシート材料品の、前記第１および第２の絞りの少なくとも一方の側面との係合を解除する表面手段を有する請求項１記載の装置。
【請求項５】
前記可変駆動速手段は複数の非円形歯車を含む請求項１記載の装置。
【請求項６】
前記可変速駆動手段は前記セパレータディスクの回転中に前記セパレーターデスクを最高速度Ｘおよび最低速度１／Ｘで回転させるように作動する請求項１記載の装置。
【請求項７】
前記セパレータディスクは、比較的大きい半径の第１の部分と、比較的小さい半径の第２の部分と、前記セパレータディスクの前記第１および第２の部分間を延びる縁部とを有し、前記可変速駆動手段は、前記セパレータディスクの前記第１の部分を前記縁部により案内しながら前記セパレータディスクを回転させてその前記縁部を前記の１個のシート材料品と前記の隣接する次のシート材料品との間を移動させるように作動し、前記可変速駆動手段は、前記セパレータディスクの前記縁部が前記の１個のシート材料品と前記の隣接する次のシート材料品との間を移動した後で前記セパレータディスクの回転速度を増加させるように作動する請求項１記載の装置。
【請求項８】
前記可変速駆動手段は前記セパレータディスクを回転させてその前記縁部が前記の１個のシート材料品と前記の隣接する次のシート材料品との間から離れるように作動し、前記可変速駆動手段は前記セパレータディスクの前記縁部が前記の１個のシート材料品と隣接する次のシート材料品との間から離れた後で前記セパレータディスクの回転速度を減少させるように作動する請求項７記載の装置。
【請求項９】
前記セパレータ手段は、前記セパレータディスクが前記の１個のシート材料品の側面と前記の隣接する次のシート材料品の側面との間を移動する前にシート材料品の積重ね中の前記の中の１個のシート材料品の一部を吸引する吸引アプリケータヘッドを含む請求項１記載の装置。
【請求項１０】
シート材料品の積重ねを支持するホッパー手段を有し、前記ホッパー手段は、シート材料品の積重ねの第１面に隣接する位置でシート材料品の積重ね中の最下位シート材料品と係合する上側面手段を有する第１の絞り部材と、シート材料品の積重ねの第２面に隣接する位置でシート材料品の積重ね中の最下位シート材料品と係合する上側面手段を有する第２の絞り部材を含み、シート材料品の縁部をシート材料品の積重ね中の隣接するシート材料品から逐次分離させるセパレータ手段を有し、前記セパレータ手段はシート材料品の積重ね中の最下位シート材料品の下側の一部を吸引して該一部を前記第１の絞り手段の前記上側面手段とシート材料品の積重ねに対して動かしシート材料品の積重ね中の最下位シート材料品の上側とそれに隣接する次のシート材料品の下側との間に間隙を形成する吸引アプリケータ手段を含み、前記セパレータ手段は比較的大きい半径の第１の部分と、比較的小さい半径の第２の部分と、前記第１および第２の部分間を延びる縁部とを有する回転可能なセパレータディスクをさらに含み、さらに前記セパレータディスクの前記第１の部分を前記縁部により案内しながら前記セパレータディスクを回転させて前記セパレータディスクの前記縁部を、シート材料品の積重ね中の前記最下位シート材料品の上側と前記最下位シート材料品に隣接する次のシート材料品の下側との間の間隙内へ移動させる駆動手段を有し、前記セパレータディスクの前記第１の部分はシート材料品の積重ね中の前記最下位シート材料品の上側へ力を加えて前記セパレータディスクがシート材料品の積重ねに対して回転する時に前記最下位シート材料品の前記第２の絞り部材の上側面手段との係合を解除するように動かす表面手段を有し、さらにシート材料品の積重ね中の前記最下位シート材料品の縁部と係合して前記最下位シート材料品を前記ホッパー手段から引き抜く送り出し手段を有する、シート材料品の処理に使用される装置。
【請求項１１】
前記駆動手段は、前記セパレータディスクがシート材料品の積重ねに対して回転する各回転中に前記セパレータディスクの回転速度を高速と低速との間で変えるように作動する請求項１０記載の装置。
【請求項１２】
前記吸引アプリケータ手段は、前記セパレータディスクの前記縁部がシート材料品の積重ね中の前記最下位シート材料品の上側と前記最下位シート材料品に隣接する次のシート材料品の下側との間の間隙内へ移動する前に前記最下位シート材料品の、前記第１の絞り部材の前記上側面手段との係合を解除するように動かすように作動する請求項１０記載の装置。
【請求項１３】
前記駆動手段は、前記セパレータディスクの前記縁部がシート材料品の積重ね中の前記最下位シート材料品の上側と前記最下位シート材料品に隣接する次のシート材料品の下側との間の間隙内へ移動した後で前記セパレータディスクの回転速度を増加させるように作動する請求項１０記載の装置。
【請求項１４】
シート材料品の積重ね中の１個のシート材料品の一部と隣接する次のシート材料品との間に間隙を形成するステップと、シート材料品の積重ね中の前記の１個のシート材料品の一部と前記の隣接する次のシート材料品との間の前記の間隙内へ回転するセパレータディスクの一部を移動させるステップと、シート材料品の積重ね中の前記の１個のシート材料品の一部と前記の隣接する次のシート材料品との間の間隙内へ回転するセパレータディスクの一部を移動させる前記ステップを実行しながら前記セパレータディスクの回転速度を増加させるステップを有する、シート材料品の処理に使用される方法。
【請求項１５】
シート材料品の積重ね中の前記の１個のシート材料品の一部と前記の隣接する次のシート材料品との間の間隙内へ回転するセパレータディスクの一部を移動させる前記ステップを実行した後で前記セパレータディスクの回転速度を減少させるステップをさらに含む請求項１４記載の方法。
【請求項１６】
シート材料品の積重ね中の前記の１個のシート材料品の第１の側面の第１の部分を第１の絞り部材と係合させ、前記の１個のシート材料品の第１の側面の第２の部分を第２の絞り部材と係合させるステップをさらに含み、シート材料品の積重ね中の前記の１個のシート材料品の一部と前記の隣接する次のシート材料品との間に間隙を形成する前記ステップは、前記の１個のシート材料品の第１の側面の第１の部分の、第１の絞り部材との係合を解除することを含み、シート材料品の積重ね中の前記の１個のシート材料品の一部と前記の隣接する次のシート材料品との間の間隙内へ回転するセパレータディスクの一部を移動させる前記ステップは、前記の１個のシート材料用品の第２の側面に回転するセパレータディスクにより力を加え、その加えられた力の作用で前記の１個のシート材料品の第１面の第２の部分の、第２の絞り部材との係合を解除することを含む請求項１４記載の方法。
【請求項１７】
前記の１個のシート材料品と前記の隣接する次のシート材料品との間の間隙内へ回転するセパレータディスクの一部を移動させる前記ステップは、前記の１個のシート材料品と前記の隣接する次のシート材料品との間へ回転するセパレータディスクの先縁部を移動させることを含み、前記の１個のシート材料品と前記の隣接する次のシート材料品との間から回転するセパレータディスクの先縁部を移動させるステップと、前記の１個のシート材料品と前記の隣接する次のシート材料品との間から回転するセパレータディスクの先縁部を移動させる前記ステップを実行した後でセパレータディスクの回転速度を減少させるステップとをさらに含む請求項１４記載の方法。
【請求項１８】
前記セパレータディスクの回転速度を増加させる前記ステップは、前記セパレータディスクの回転速度をＸの速度まで増加させることを含み、前記セパレータディスクの回転速度をその後１／Ｘの速度まで減少させるステップをさらに含む請求項１４記載の方法。
【請求項１９】
回転するセパレータディスクの一部を前記間隙内へ動かす前記ステップは、セパレータディスクの縁部を、該縁部がシート材料品の積重ねの一面へオフセットした位置から、セパレータディスクの縁部が前記の１個のシート材料品と前記の隣接する次のシート材料品間の間隙内へ配置される位置へ動かすことを含む請求項１４記載の方法。
【請求項２０】
シート材料品の積重ね中の最下位シート材料品の第１の部分を第１の絞り部材の上側と係合させ、シート材料品の積重ね中の前記最下位シート材料品の第２の部分を第２の絞り部材の上側と係合させることによりシート材料品の積重ねを少なくとも部分的に支持するステップと、前記最下位シート材料品の第１の部分の、第１の絞り部材との係合を解除することにより前記最下位シート材料品と隣接する次のシート材料品との間に間隙を形成するステップと、前記最下位シート材料品と前記の隣接する次のシート材料品との間の間隙内へ回転するセパレータディスクの一部を移動させ、その後、回転するセパレータディスクによって最下位シート材料品へ加えられる力の作用で前記最下位シート材料品の第２の部分の、第２の絞り部材の上側との係合を解除するステップとを有する、シート材料品の処理に使用される方法。
【請求項２１】
前記セパレータディスクの各回転中にその回転速度を高速と低速の間で変えるステップをさらに含む請求項２０記載の方法。
【請求項２２】
前記最下位シート材料品の第１の部分と前記第１の絞り部材との係合を解除することにより前記最下位シート材料品と前記の隣接する次のシート材料品との間に間隙を形成する前記ステップは、吸引アプリケータヘッドにより前記最下位シート材料品の下側を吸引して前記吸引アプリケータヘッドを第１の絞り部材から離れるように動かすことを含む請求項２０記載の方法。
【請求項２３】
シート材料品の積重ねの底部から逐次シート材料品を送り出す方法であって、シート材料品の積重ね中の最下位シート材料品と隣接する次のシート材料品との間へ回転するセパレータディスクの一部を移動させて前記最下位シート材料品の縁部を下向きに撓ませるステップと、前記セパレータディスクの各回転中に前記セパレータディスクの回転速度を高速と低速の間で変えるステップと、シート材料品の積重ね中の最下位シート材料品の下向きに撓まされた縁部をくわえづめにより把持するステップと、前記くわえづめをシート材料品の積重ねから離れるように移動させて前記くわえづめにより把持されたシート材料品をシート材料品の積重ねから引き抜くステップとを有する、シート材料品の供給方法。
【請求項２４】
前記最下位シート材料品と前記の隣接する次のシート材料品との間へ、回転するセパレータディスクの一部を移動させる前記ステップは、回転するセパレータディスクの先縁部を、シート材料品の積重ねの一面へオフセットした位置から回転するセパレータディスクの先縁部がシート材料品の積重ねの前記最下位シート材料品と前記の隣接する次のシート材料品との間に位置する位置へ移動させることを含み、回転するセパレータディスクの回転速度を変える前記ステップは、回転するセパレータディスクの先縁部がシート材料品の積重ねの一面へオフセットした位置から回転するセパレータディスクの先縁部がシート材料品の積重ねの前記最下位シート材料品と前記の隣接する次のシート材料品との間に位置する位置へ移動する時に回転するセパレータディスクの回転速度を増加させることを含む請求項２３記載の方法。
【請求項２５】
セパレータディスクを回転させるステップからなり、セパレータディスクを回転させる前記ステップは、セパレータディスクの各回転中にその回転速度を低速から高速へ増加させ、また高速から低速へ減少させることを含み、シート材料品の積重ね中の１個のシート材料品の一部と隣接する次のシート材料品との間へ回転するセパレータディスクの一部を移動させるステップをさらに含み、前記セパレータディスクの一部が前記の１個のシート材料品の一部と前記の隣接する次のシート材料品との間にある時に前記セパレータディスクは高速で回転させられる、シート材料品の処理に使用される方法。
【請求項２６】
前記セパレータディスクの一部が前記の１個のシート材料品と前記の隣接する次のシート材料品との間にある時に前記の１個のシート材料品の縁部をくわえづめにより把持し、前記セパレータディスクの回転速度を減少させながら前記くわえづめをシート材料品の積重ねから離れるように移動させるステップをさらに含む請求項２５記載の方法。
【請求項２７】
シート材料品の積重ねは、前記の１個のシート材料品の第１の部分を第１の絞り部材と係合させ、前記の１個のシート材料品の第２の部分を第２の絞り部材と係合させ、前記の１個のシート材料品の前記の第１の部分の、第１の絞り部材との係合を解除して前記の１個のシート材料品と前記の隣接する次のシート材料品との間に間隙を形成することにより少なくとも部分的に配置され、前記の１個のシート材料品の一部と前記の隣接する次のシート材料品との間へ回転するセパレータディスクの一部を移動させる前記ステップは、前記の１個のシート材料品と前記の隣接する次のシート材料品との間の間隙へ回転する前記セパレータディスクを移動させ、回転するセパレータディスクによって前記の１個のシート材料品に加えられる力の作用で前記の１個のシート材料品の第２の部分の、第２の絞り部材との係合を解除することを含む請求項２５記載の方法。
【請求項２８】
前記セパレータディスクは、比較的大きい半径のセパレータディスクの第１の部分と比較的小さい半径の第２の部分間を延びる縁部を有し、前記セパレータディスクの回転速度を増加させながらシート材料品の積重ねの一面へオフセットした位置から前記の１個のシート材料品と前記の隣接する次のシート材料品との間の位置へ前記セパレータディスクの縁部を移動させることを含む請求項２５記載の方法。
【請求項２９】
前記セパレータディスクの回転速度を減少させながら前記の１個のシート材料品と前記の隣接する次のシート材料品との間の位置からシート材料品の積重ねの一面へオフセットした位置へ前記セパレータディスクの縁部を移動させることをさらに含む請求項２８記載の方法。
【手続補正２】
【補正対象書類名】明細書
【補正対象項目名】図１
【補正方法】変更
【補正の内容】
【図１】
1997240855.tif 000001